(57)【要約】【課題】電子機器がラック本体の前面側と背面側の各々に配置しつつも、ラック本体の外の空気を各電子機器に効率よく供給し、各電子機器へ供給された後に電子機器の熱を含んだ空気をラック本体の背面側へ効率よく排出することができること。【解決手段】電子機器２００は、電子機器筐体２１０内部に搭載された発熱部品を冷却するために筐体の下面側から空気を吸入し筐体の上面側へ空気を排出する。前面側電子機器収容室１２１は、電子機器２００をラック本体１１０の前面側に収容する。背面側電子機器収容室１２２は、電子機器２００をラック本体１１０の背面側に収容する。導風ユニット１３０は、電子機器収容室１２０の上面側に設けられている。導風ユニット１３０は、前面側電子機器収容室１２１および背面側電子機器収容室１２２にそれぞれ収容される電子機器２００の上面側に排出される空気をラック本体１１０の背面側へ導く。【選択図】      図１
2015008207.tif 000002
【特許請求の範囲】
【請求項１】
筐体内部に搭載された発熱部品を冷却するために前記筐体の下面側から空気を吸入し前記筐体の上面側へ空気を排出する電子機器を収容する電子機器収容室と、
前記電子機器収容室に設けられ、前記電子機器をラック本体の前面側に収容する前面側電子機器収容室と、
前記電子機器収容室に設けられ、前記電子機器を前記ラック本体の背面側に収容する背面側電子機器収容室と、
前記電子機器収容室の上面側に設けられ、前記前面側電子機器収容室および前記背面側電子機器収容室にそれぞれ収容される前記電子機器の上面側に排出される空気を前記ラック本体の背面側へ導く導風ユニットとを備えた電子機器収容ラック。
【請求項２】
筐体内部に搭載された発熱部品を冷却するために前記筐体の下面側から空気を吸入し前記筐体の上面側へ空気を排出する電子機器を収容し、ラック本体の下面側から上面側に向けて前記ラック本体内に配列された複数の電子機器収容室と、
前記電子機器収容室に設けられ、前記電子機器を前記ラック本体の前面側に収容する前面側電子機器収容室と、
前記電子機器収容室に設けられ、前記電子機器を前記ラック本体の背面側に収容する背面側電子機器収容室と、
前記複数の電子機器収容室のうち前記ラック本体の下面側から上面側に向かう方向で互いに向かい合う電子機器収容室の間に設けられ、前記前面側電子機器収容室および前記背面側電子機器収容室にそれぞれ収容される前記電子機器の上面側に排出される空気を前記ラック本体の背面側へ導く導風ユニットとを備えた電子機器収容ラック。
【請求項３】
前記導風ユニットは、前記ラック本体の前面側から背面側に向かうにつれて、前記電子機器収容室の上面から離れるように設けられている導風板を有する請求項１または２に記載の電子機器収容ラック。
【請求項４】
前記導風ユニットは、前記ラック本体に対して、着脱できるように設けられた請求項１〜３のいずれか１項に記載の電子機器収容ラック。
【請求項５】
前記ラック本体の背面側に設けられた背面板と、
前記導風ユニットにより導かれる空気を前記ラック本体の背面側から排出するために、前記背面板のうちで少なくとも前記導風ユニットと向かい合う位置に形成された排気口とを備えた請求項１〜４のいずれか１項に記載の電子機器収容ラック。
【請求項６】
前記ラック本体の前面側に設けられた前面板と、
前記ラック本体の外の空気を前記電子機器収容室へ供給するために、前記前面板に形成された第１の吸気口を備えた請求項１〜５のいずれか１項に記載の電子機器収容ラック。
【請求項７】
前記ラック本体の下面側に設けられた下面板と、
前記ラック本体の外の空気を前記電子機器収容室へ供給するために、前記前面板に形成された第２の吸気口を備えた請求項１〜６のいずれか１項に記載の電子機器収容ラック。
【発明の詳細な説明】
【技術分野】
【０００１】
本発明は、例えば、複数の電子機器を収容する電子機器収容ラックに関する。
【背景技術】
【０００２】
電子機器には、電子部品が実装された複数の電子基板や、これらの電子基板に電力を供給する電源が、市場の小型化のニーズに伴って、高密度に搭載されている。
【０００３】
また、上述した複数の電子機器を所定の電子機器収容ラックに収容して、例えば通信システムや高速演算システムなどのサーバ装置を構成する場合がある。このように複数の電子機器を電子機器収容ラックに収容してサーバ装置を構成する場合、近年、電子機器の小型化に加えて、複数の電子機器を効率よく電子機器収容ラックに収容する試みが行われている。すなわち、電子機器収容ラック内は限られた物理スペースとなるため、できる限り多くの電子機器をより効率よく電子機器収容ラック内に収容することができるかが、サーバ装置を構成するうえで重要となる。
【０００４】
このようなサーバ装置内の電子機器を作動させると、当該電子機器内の電子基板や電源が高熱になってしまう。特に、電子機器収容ラック内で複数の電子機器を作動させると、電子機器ラック内が高熱になる。このため、冷却用ファンを用いて電子機器の発熱を冷却する構造が、多くの電子機器収容ラックに採用されている。
【０００５】
例えば、特許文献１には、電子機器を内蔵した複数の筐体ユニットを電子機器収容ラック内に収容する技術が開示されている。具体的には、複数の電子機器は、筐体ユニットとともに、ラックの下面側から上面側へ向かう方向に沿って、配列されてラック内に収容される。また、ラックの背面側であって電子機器の背面側には、放熱ファンと整風板がそれぞれ配置されている。複数の整風板の各々が設けられた各導風室間には、ラックの下面側から上面側の方向で各導風室間を連結する開口が設けられている。複数の放熱ファンの各々は、ラック外の空気をラックの前面側から吸入し、この吸入した空気を電子機器に供給する。複数の整風板の各々は、放熱ファンにより電子機器に供給された後の高熱の空気を、ラックの背面側で、ラックの下面側の方向へ導く。各整風板によりラックの下面側の方向へ導かれた高熱の空気は、各開口を介してラックの背面側かつ下面側へ流れ、ラックの背面側かつ下面側に設けられた排気ダクトから排出される。
【先行技術文献】
【特許文献】
【０００６】
【特許文献１】特開２００６−０４０９１８号公報
【発明の概要】
【発明が解決しようとする課題】
【０００７】
しかしながら、特許文献１に記載の技術では、複数の電子機器がラックの下面側から上面側へ向けた方向に１つずつ配列された場合に、複数の電子機器の各々を冷却することができるに過ぎない。複数の電子機器をさらに効率よくラック内に収容しようとするために、複数の電子機器をラックの前面側から背面側へ向けた方向に並べて配置したいという要求もある。しかし、特許文献１に記載の技術は、複数の電子機器をラックの前面側から背面側へ向けた方向に並べて配置した場合に対応していない。すなわち、特許文献１に記載の技術では、複数の電子機器をラックの前面側から背面側へ向けた方向に並べて配置した場合に、ラックの前面側および背面側に設けられた電子機器の双方にラックの外の空気を供給することができず、双方の電子機器を十分に冷却することはできないという問題があった。また、電子機器がラックの前面側および背面側に設けられると、電子機器へ供給された後に当該電子機器の熱を含んだ空気を、ラックの背面側へ排出することができないという問題もあった。
【０００８】
本発明は、このような事情を鑑みてなされたものであり、電子機器がラック本体の前面側と背面側の各々に効率よく配置しつつも、ラック本体の外の空気を各電子機器に効率よく供給し、各電子機器へ供給された後に電子機器の熱を含んだ空気をラック本体の背面側へ効率よく排出することができる電子機器収容ラックを提供する。
【課題を解決するための手段】
【０００９】
本発明の電子機器収容ラックは、筐体内部に搭載された発熱部品を冷却するために前記筐体の下面側から空気を吸入し前記筐体の上面側へ空気を排出する電子機器を収容する電子機器収容室と、前記電子機器収容室に設けられ、前記電子機器を前記ラック本体の前面側に収容する前面側電子機器収容室と、前記電子機器収容室に設けられ、前記電子機器を前記ラック本体の背面側に収容する背面側電子機器収容室と、前記電子機器収容室の上面側に設けられ、前記前面側電子機器収容室および前記背面側電子機器収容室にそれぞれ収容される前記電子機器の上面側に排出される空気を前記ラック本体の背面側へ導く導風ユニットとを備えている。
【００１０】
本発明の電子機器収容ラックは、筐体内部に搭載された発熱部品を冷却するために前記筐体の下面側から空気を吸入し前記筐体の上面側へ空気を排出する電子機器を収容し、ラック本体の下面側から上面側に向けて前記ラック本体内に配列された複数の電子機器収容室と、前記電子機器収容室に設けられ、前記電子機器を前記ラック本体の前面側に収容する前面側電子機器収容室と、前記電子機器収容室に設けられ、前記電子機器を前記ラック本体の背面側に収容する背面側電子機器収容室と、前記複数の電子機器収容室のうち前記ラック本体の下面側から上面側に向かう方向で互いに向かい合う電子機器収容室の間に設けられ、前記前面側電子機器収容室および前記背面側電子機器収容室にそれぞれ収容される前記電子機器の上面側に排出される空気を前記ラック本体の背面側へ導く導風ユニットとを備えている。
【発明の効果】
【００１１】
本発明にかかる技術によれば、電子機器がラック本体の前面側と背面側の各々に配置しつつも、ラック本体の外の空気を各電子機器に効率よく供給し、各電子機器へ供給された後に電子機器の熱を含んだ空気をラック本体の背面側へ効率よく排出することができる。
【図面の簡単な説明】
【００１２】
【図１】本発明の実施の形態における電子機器収容ラックに電子機器を収容した状態を示す側面断面図である。
【図２】本発明の実施の形態における電子機器収容ラックの側面断面図である。
【図３】電子機器の側面断面図である。
【図４】本発明の実施の形態における電子機器収容ラックに電子機器を収容した状態を概略的に示す側面図である。
【図５】本発明の実施の形態における電子機器収容ラックに電子機器を収容した状態を概略的に示す正面図である。
【図６】本発明の実施の形態における電子機器収容ラックに電子機器を収容した状態を概略的に示す背面斜視図である。
【発明を実施するための形態】
【００１３】
＜実施の形態＞
本発明の実施の形態における電子機器収容ラック１００の構成について、図に基づいて説明する。
【００１４】
図１は、電子機器収容ラック１００に電子機器２００を収容した状態を示す側面断面図である。図２は、電子機器収容ラック１００の側面断面図である。図３は、電子機器の側面断面図である。図４は、電子機器収容ラック１００に電子機器２００を収容した状態を概略的に示す側面図である。ここで、図１、図２および図４では、紙面左側を電子機器ラック１００の前面側、紙面右側を同ラック１００の背面側、紙面上側を同ラック１００の上面側、紙面下側を同ラック１００の下面側とする。また、電子機器２００については、図３の紙面左側を当該部の前面側、紙面右側を当該部の背面側、紙面上側を当該部の上面側、紙面下側を当該部の下面側とする。
【００１５】
図５は、電子機器収容ラック１００に電子機器２００を収容した状態を概略的に示す正面図である。図５では、図面表示の都合上、後述の前面側開閉扉１１１を省略している。図６は、電子機器収容ラック１００に電子機器２００を収容した状態を概略的に示す背面斜視図である。
【００１６】
まず、図４〜図６を用いて、電子機器収容ラック１００の構成に概略を説明し、その後に、電子機器２００の構成を説明し、最後に電子機器収容ラック１００の構成の詳細について説明する。
【００１７】
図４〜図６に示されるように、電子機器収容ラック１００は、ラック本体１１０と、電子機器収容室１２０と、導風ユニット１３０と、吸気室１４０とを備えて構成されている。
【００１８】
図４〜図６に示されるように、ラック本体１１０は、直方体状に形成されている。電子機器収容室１２０は、ラック本体１１０内に設けられている。ここでは、電子機器収容室１２０は、２つ設けられているものとする。ただし、本発明では、１つまたは３つ以上の電子機器収容室１２０を設けてもよい。
【００１９】
また、複数の電子機器２００が、電子機器収容室１２０に収容されている。このとき、２つの電子機器２００が１つの電子機器収容室１２０に収容される。２つの電子機器２００のうち、一方はラック本体１１０の前面側に収容され、他方はラック本体１１０の背面側に収容される。図５に示されるように、電子機器２００には、後述するファン部２３０が設けられている。
【００２０】
導風ユニット１３０は、電子機器収容室１２０の上面側に設けられている。また、導風ユニット１３０は、電子機器収容室１２０の間に設けられている。導風ユニット１３０は、導風板１３１を有する。
【００２１】
なお、図６に示されるように、ラック本体１１０の前面側および背面側には、前面側開閉扉１１１と背面側開閉扉１１２がそれぞれ設けられている。また、後述するように、前面側開閉扉１１１には、複数の吸気口１１３が設けられている（図５では不図示）。同様に、背面側開閉扉１１２には、複数の排気口１１４が設けられている（図５では不図示）。前面側開閉扉１１１は本発明の前面板に相当し、背面側開閉扉１１２は本発明の背面板に相当する。
【００２２】
以上、電子機器収容ラック１００の構成に概略を説明した。
【００２３】
次に、電子機器２００の構成の詳細について、説明する。
【００２４】
図１および図３に示されるように、電子機器２００は、電子機器筐体２１０と、電子基板２２０と、ファン部２３０と、操作パネル２４０を有している。
【００２５】
電子機器筐体２１０は、直方体状または正方体状に金属板等によって形成されている。電子機器筐体２１０は、電子基板収容室２１１、ファン部収容室２１２、電子機器上面側開口孔２１３、電子機器下面側開口孔２１４および電子機器連通孔２１５を有している。
【００２６】
電子基板収容室２１１は、ファン部収容室２１２の下面側に設けられている。電子基板収容室２１１は、電子基板２２０を収容する。また、電子基板収容室２１１は、電子機器連通孔２１５を介して、ファン部収容室２１２と連通する。
【００２７】
ファン部収容室２１２は、電子基板収容室２１１の上面側に設けられている。ファン部収容室２１２は、ファン部２３０を収容する。図１では、２つのファン部２３０がファン部収容室２１２内に設けられている。ただし、１つまたは３つ以上のファン部２３０が、ファン部収容室２１２内に設けられてもよい。
【００２８】
電子機器上面側開口孔２１３は、電子機器筐体２１０の上面に形成されている。電子機器下面側開口孔２１４は、電子機器筐体２１０の下面に形成されている。電子機器連通孔２１５は、電子基板収容室２１１およびファン部収容室２１２を連通する。好ましくは、電子機器連通孔２１５は、ファン部２３０と向かい合う位置に、設けられている。
【００２９】
電子基板２２０は、電子基板収容室２１１内に収容される。電子基板２２０は、基材２２１と、電子部品２２２とを有する。基材２２１は、矩形状の板材である。基材２２１の材料には、例えばガラスエポキシ樹脂が用いられる。電子部品２２２は、中央演算処理装置（Central Processing Unit：ＣＰＵ）や集積回路（Multi-chip Module：ＭＣＭ）やコイルや抵抗等である。ここで、電子部品２２２の少なくとも１つは、ＣＰＵやＭＰＵなどの発熱部品である。
【００３０】
ファン部２３０は、ファン部収容室２１２内に収容される。ファン部２３０は、電子機器２００の電子機器筐体２１０の外の空気を、電子機器下面側開口孔２１４から電子基板収容室２１１内に吸入し、電子機器連通孔２１５を介して電子機器上面側開口孔２１３から排出する。
【００３１】
操作パネル２４０は、電子機器筐体２１０の前面側に設けられている。操作パネル２４０には、電源スイッチなど、電子機器２００を制御するためのスイッチ類（不図示）が、配列されている。
【００３２】
図１に示されるように、電子機器２００は、ラック本体１１０内の電子機器収容室１２０に収容される。図１では、４つの電子機器２００がラック本体１１０内に設けられた例を示している。ここで、４つの電子機器２００の詳細な構成（例えば、電子部品２２２の配置など）は、互いに異なる態様となる場合もある。しかし、４つの電子機器２００は基本的な構成は全て同じであるから、図１では、電子機器２００の構成を単純化して示している。また、紙面スペースの都合上、４つの電子機器２００のうち１つに対して詳細な符号をふっている。図１に示されるように、ラック本体１００の前面側に収容された電子機器２００の操作パネル２４０は、ラック本体１００の前面側開閉扉１１１と向かい合うように、配置される。これにより、電子機器２００の利用者は、前面側開閉扉１１１を開くことにより、ラック本体１００の前面側に収容された電子機器２００の操作パネル２４０を操作することができる。一方、ラック本体１００の背面側に収容された電子機器２００の操作パネル２４０は、ラック本体１００の背面側開閉扉１１２と向かい合うように、配置される。これにより、電子機器２００の利用者は、背面側開閉扉１１１を開くことにより、ラック本体１００の背面側に収容された電子機器２００の操作パネル２４０を操作することができる。
【００３３】
次に、電子機器２００の動作について説明する。
【００３４】
図３に示されるように、ファン部２３０を駆動することにより、筐体１００外の空気が電子装置１０００の下面側の電子機器下面側開口孔２１４に流れ込む（矢印ａ）。この空気は、ファン部２３０による風力によって、電子基板収容室２１１内を、電子基板２２０の面に沿って流れ、電子基板２２０上の電子部品２２２（特に発熱部品）の熱を冷却する。電子部品２２２（特に発熱部品）の熱を含んだ空気は、ファン部２３０による風力によって、電子機器連通孔２１５を通り、電子基板収容室２１１からファン部収容室２１２へ流れる（矢印ｂ）。さらに、電子部品２２２（特に発熱部品）の熱を含んだ空気は、ファン部収容室２１１内に流入した後、ファン部２３０による風力によって、電子機器上面側開口孔２１３から電子機器筐体２１０の外へ排出される（矢印ｃ）。
【００３５】
このように、電子機器２００では、電子機器筐体２１０の内部に搭載された発熱部品を冷却するために電子機器筐体２１０の下面側から空気を吸入し電子機器筐体２１０の上面側へ空気を排出する。これにより、電子機器２００内の発熱部品が冷却される。
【００３６】
以上の通り、電子機器２００の動作について説明した。
【００３７】
次に、電子機器収容ラック１００の構成の詳細について説明する。
【００３８】
図４〜図６を用いて前述したように、電子機器収容ラック１００は、ラック本体１１０と、電子機器収容室１２０と、導風ユニット１３０とを備えて構成されている。
【００３９】
図１および図２に示された電子機器収容ラック１００の構成は、図４〜図６に示された電子機器ラック１００の構成に対応している。
【００４０】
図１および図２に示されるように、ラック本体１１０内には、電子機器収容室１２０と導風ユニット１３０と、吸気室１４０が設けられている。
【００４１】
ラック本体１１０の前面側には、第１の吸気口１１３が形成されている。ラック本体１１０の背面側には、排気口１１４が形成されている。また、さらに、ラック本体１１０の下面側には、第２の吸気口１１６が設けられている。なお、前述の通り、第１の吸気口１１３は前面側開閉扉１１１に形成され、排気口１１４は背面側開閉扉１１２に形成されている。また、第２の吸気口１１６は、ラック本体１１０の下面板１１５に形成されている。第１の吸気口１１３および第２の吸気口１１６は、ともに、ラック本体１１０の外の空気を各電子機器収容室１２０へ供給するために、設けられている。排気口１１４は、後述の導風ユニット１３０により導かれる空気をラック本体１１０の背面側から排出するために、設けられている。この排出口１１４は、背面側開閉扉１１２のうちで少なくとも導風ユニット１３０と向かい合う位置に形成されていればよい。
【００４２】
また、図１および図２に示されるように、ラック本体１１０は、第１の通気口１１７と、第２の通気口１１８とをさらに有する。
【００４３】
第１の通気口１１７は、導風ユニット１３０および電子機器収容室１２０の間に設けられている。第１の通気口１１７は、導風ユニット１３０および電子機器収容室１２０の間を連通する。
【００４４】
第２の通気口１１８は、電子機器収容室１２０の下面側に設けられている。図１および図２に示されるように、上側の第２の通気口１１８は、電子機器収容室１２０および導風ユニット１３０の間に設けられている。上側の第２の通気口１１８は、電子機器収容室１２０および導風ユニット１３０の間を連通する。図１および図２に示されるように、下側の第２の通気口１１８は、電子機器収容室１２０および吸気室１４０の間に設けられている。下側の第２の通気口１１８は、電子機器収容室１２０および吸気室１４０の間を連通する。
【００４５】
図１および図２に示されるように、各電子機器収容室１２０は、２つの電子機器２００を収容する。各電子機器収容室１２０は、前面側電子機器収容室１２１と、背面側電子機器収容室１２２とを有している。各電子機器収容室１２０の中央部には、分離板１２３が設けられている。また、各電子機器収容室１２０は、ラック本体１１０の下面側から上面側に向けて配列されている。各電子機器収容室１２０の上面側には、導風ユニット１３０が設けられている。
【００４６】
図１および図２に示されるように、前面側電子機器収容室１２１は、電子機器収容室１２０に設けられている。また、図１に示されるように、前面側電子機器収容室１２１は、電子機器２００をラック本体１１０の前面側に収容する。
【００４７】
図１および図２に示されるように、背面側電子機器収容室１２２は、電子機器収容室１２０に設けられている。また、図１に示されるように、背面側電子機器収容室１２２は、電子機器２００をラック本体１１０の背面側に収容する。
【００４８】
図１および図２に示されるように、各導風ユニット１３０は、各電子機器収容室１２０の上面側に設けられている。また、各導風ユニット１３０は、複数の電子機器収容室１２０のうちラック本体１１０の下面側から上面側に向かう方向で互いに向かい合う電子機器収容室１２０の間に設けられている。各導風ユニット１３０は、前面側電子機器収容室１２１および背面側電子機器収容室１２２にそれぞれ収容される電子機器２００の上面側に排出される空気をラック本体１１０の背面側へ導く。
【００４９】
また、図１および図２に示されるように、導風ユニット１３０は、導風板１３１を有する。導風板１３１は、ラック本体１１０の前面側から背面側に向かうにつれて、電子機器収容室１２０の上面から離れるように設けられている。これにより、ラック本体１１０の背面側の背面側電子機器収容室１２２から排出される空気をラック本体１１０の背面側へ効率よく導くことができることはもちろん、ラック本体１１０の前面側の前面側電子機器収容室１２１から排出される空気もラック本体１１０の背面側へ効率よく導くことができる。なお、導風板１３１の材料には、金属部材または樹脂部材が用いられている。導風ユニット１３０は、ラック本体１１０に対して、着脱できるように設けられている。これにより、導風ユニット１３０が故障した際などに、導風ユニット１３０をラック本体１１０から容易に取り出すことができる。
【００５０】
図１および図２に示されるように、吸気室１４０は、ラック本体１１０の下面側に設けられている。吸気室１４０には、ラック本体１１０の外の空気が、第１の吸気口１１３および第２の吸気口１１６を介して、吸入される。
【００５１】
次に、電子機器収容ラック１００の動作について説明する。
【００５２】
ここでは、図１に示されるように、４つの電子機器２００が、前面側電子機器収容室１２１または背面側電子機器収容室１２２に収容されているものとする。
【００５３】
図１に示されるように、各電子機器２００のファン部２３０を駆動することにより、ラック本体１１０外の空気が、第１の吸気口１１３および第２の吸気口１１６を介して、ラック本体１１０内に流入する（矢印Ｖ）。
【００５４】
ラック本体１１０のうち電子機器収容室１２０の下面側に流入した空気は、各ファン部２３０による風力によって、第２の通気口１１８を介して、前面側電子機器収容室１２１内および背面側電子機器収容室１２２内の双方に流入する（矢印Ｗ）。
【００５５】
次に、前述したように、ファン部２３０を駆動することにより、前面側電子機器収容室１２１内および背面側電子機器収容室１２２内の空気が、電子機器下面側開口孔２１４、電子機器連通孔２１５および電子機器上面側開口孔２１３を介して、ラック本体１１０の下面側から上面側へ向けて流れる（矢印ａ、ｂ、ｃ）。電子機器上面側開口孔２１３から電子機器筐体２１０の外へ排出される空気は、第１の通気口１１７を介して、前面側電子機器収容室１２１および背面側電子機器収容室１２２から導風ユニット１３０内へ流入する（矢印Ｘ）。このとき、電子機器上面側開口孔２１３から電子機器筐体２１０の外へ排出される空気は、電子基板２２０の面上を通っているので、電子部品２２２（特に発熱部品）の熱を含んでいる。導風ユニット１３０に流入した空気は、導風ユニット１３０内を、導風板１３１に沿って、ラック本体１１０の前面側から背面側へ向けて流れ、排気口１１４を通ってラック本体１１０の外へ排出される（矢印Ｙ）。
【００５６】
このように、電子機器収容ラック１００では、ラック本体１１０の外の空気を、前面側電子機器収容室１２１および背面側電子機器収容室１２２へ流入させる。前面側電子機器収容室１２１内および背面側電子機器収容室１２２内では、各電子機器２００が、電子機器筐体２１０の内部に搭載された発熱部品を冷却するために、電子機器筐体２１０の下面側から空気を吸入し、電子機器筐体２１０の上面側へ空気を排出する。これにより、電子機器２００内の発熱部品が冷却される。このとき、各電子機器筐体２１０の上面側に排出される空気は、電子基板２２０の面上を通っているので、電子部品２２２（特に発熱部品）の熱を含んでいる。各電子機器筐体２１０の上面側に排出される空気は、前面側電子機器収容室１２１および背面側電子機器収容室１２２から導風ユニット１３０内に流れ、導風ユニット１３０によりラック本体１１０の背面側へ導かれる。
【００５７】
以上、電子機器収容ラック１００の動作について説明した。
【００５８】
以上の通り、本発明の実施の形態における電子機器収容ラック１００は、電子機器収容室１２０と、前面側電子機器収容室１２１と、背面側電子機器収容室１２２と、導風ユニット１３０とを備えている。電子機器収容室１２０は、電子機器２００を収容する。電子機器２００は、筐体（電子機器筐体２１０）内部に搭載された発熱部品（電子部品２２２）を冷却するために筐体の下面側から空気を吸入し筐体の上面側へ空気を排出する。前面側電子機器収容室１２１は、電子機器収容室１２０に設けられ、電子機器２００をラック本体１１０の前面側に収容する。背面側電子機器収容室１２２は、電子機器収容室１２０に設けられ、電子機器２００をラック本体１１０の背面側に収容する。導風ユニット１３０は、電子機器収容室１２０の上面側に設けられている。導風ユニット１３０は、前面側電子機器収容室１２１および背面側電子機器収容室１２２にそれぞれ収容される電子機器２００の上面側に排出される空気をラック本体１１０の背面側へ導く。
【００５９】
このように、本発明の電子機器収容ラック１００では、前面側電子機器収容室１２１が電子機器２００をラック本体１１０の前面側に収容し、背面側電子機器収容室１２２が電子機器２００をラック本体１１０の背面側に収容する。これにより、電子機器収容室１２１毎に、電子機器収ラック１００の下面板１１５から計った同じ高さの位置に、２つの電気機器２００を配置することができる。これにより、電子機器２００をラック本体１１０内により効率よく収容することができる。また、前面側電子機器収容室１２１および背面側電子機器収容室１２２に収容される電子機器２００は、電子機器筐体２１０の内部に搭載された発熱部品（電子部品２２２）を冷却するために筐体の下面側から空気を吸入し筐体の上面側へ空気を排出する。電子機器筐体２１０内では、電子機器筐体２１０の下面側から吸入された空気が、発熱部品の上を通って、電子機器筐体２１０の上面側へ排出される。このため、電子機器筐体２１０の上面側へ排出される空気は、発熱部品の熱を含む。そして、電子機器筐体２１０内で発熱部品の熱を含んだ空気は、前面側電子機器収容室１２１および背面側電子機器収容室１２２に収容されている電子機器２００の上面側に移動する。すなわち、２つの電子機器２００がラック本体１１０の前面側および背面側の双方に収容されると、電子機器２００からの排気は、電子機器筐体２１０の背面側や前面側に排出することはできず、電子機器筐体２１０の上面へ排出するしかない。このとき、前面側電子機器収容室１２１に収容される電気機器２００の方が、背面側電子機器収容室１２２に収容される電子機器２００よりも、ラック本体１１０の背面から遠い。このため、特に前面側電子機器収容室１２１に収容される電気機器２００から排出される空気は、ラック本体１１０の背面側へ流れにくい。そこで、本発明の電子機器収容ラック１００では、導風ユニット１３０を電子機器収容室１２０の上面側に設けることによって、前面側電子機器収容室１２１および背面側電子機器収容室１２２にそれぞれ収容される電子機器２００の上面側に排出される空気をラック本体１１０の背面側へ導いている。これによって、電子機器２００がラック本体の前面側と背面側の双方に配置されても、前面側電子機器収容室１２１および背面側電子機器収容室１２２にそれぞれ収容される電子機器２００から排出される空気が、効率よくラック本体１１０の背面側へ導かれる。
【００６０】
よって、本発明の電子機器収容ラック１００によれば、電子機器２００がラック本体１１０の前面側と背面側の各々に配置しつつも、ラック本体１１０の外の空気を各電子機器２００に効率よく供給し、各電子機器２００へ供給された後に電子機器２００の熱を含んだ空気をラック本体１１０の背面側へ効率よく排出することができる。
【００６１】
また、本発明の実施の形態における電子機器収容ラック１００は、複数の電子機器収容室１２０と、前面側電子機器収容室１２１と、背面側電子機器収容室１２２と、導風ユニット１３０とを備えている。複数の電子機器収容室１２０は、電子機器２００を収容し、ラック本体１１０の下面側から上面側に向けてラック本体１１０内に配列されている。電子機器２００は、筐体（電子機器筐体２１０）内部に搭載された発熱部品（電子部品２２２）を冷却するために筐体の下面側から空気を吸入し筐体の上面側へ空気を排出する。前面側電子機器収容室１２１は、電子機器収容室１２０に設けられ、電子機器２００をラック本体１１０の前面側に収容する。背面側電子機器収容室１２２は、電子機器収容室１２０に設けられ、電子機器２００をラック本体１１０の背面側に収容する。導風ユニット１３０は、複数の電子機器収容室１２０のうちラック本体１１０の下面側から上面側に向かう方向で互いに向かい合う電子機器収容室１２０の間に設けられている。導風ユニット１３０は、前面側電子機器収容室１２１および背面側電子機器収容室１２２にそれぞれ収容される電子機器２００の上面側に排出される空気をラック本体１１０の背面側へ導く。
【００６２】
このように、本発明の電子機器収容ラック１００では、複数の電子機器収容室１２０を有することもできる。このとき、複数の電子機器収容室１２０は、電子機器２００を収容し、ラック本体１１０の下面側から上面側に向けてラック本体１１０内に配列されている。また、導風ユニット１３０は、複数の電子機器収容室１２０のうちラック本体１１０の下面側から上面側に向かう方向で互いに向かい合う電子機器収容室１２０の間に設けられている。この場合であっても、前面側電子機器収容室１２１が電子機器２００をラック本体１１０の前面側に収容し、背面側電子機器収容室１２２が電子機器２００をラック本体１１０の背面側に収容する。これにより、電子機器２００をラック本体１１０内により効率よく収容することができる。また、前面側電子機器収容室１２１および背面側電子機器収容室１２２に収容される電子機器２００は、電子機器筐体２１０の内部に搭載された発熱部品（電子部品２２２）を冷却するために筐体の下面側から空気を吸入し筐体の上面側へ空気を排出する。電子機器筐体２１０内では、電子機器筐体２１０の下面側から吸入された空気が、発熱部品の上を通って、電子機器筐体２１０の上面側へ排出される。このため、電子機器筐体２１０の上面側へ排出される空気は、発熱部品の熱を含む。そして、電子機器筐体２１０内で発熱部品の熱を含んだ空気は、前面側電子機器収容室１２１および背面側の電子機器収容室１２２に収容されている電子機器２００の上面側に移動する。すなわち、２つの電子機器２００がラック本体１１０の前面側および背面側の双方に収容されると、電子機器２００からの排気は、電子機器筐体２１０の背面側や前面側に排出することはできず、電子機器筐体２１０の上面へ排出するしかない。このとき、前面側電子機器収容室１２１に収容される電気機器２００の方が、背面側電子機器収容室１２２に収容される電子機器２００よりも、ラック本体１１０の背面から遠い。このため、特に前面側電子機器収容室１２１に収容される電気機器２００から排出される空気は、ラック本体１１０の背面側へ流れにくい。そこで、本発明の電子機器収容ラック１００では、導風ユニット１３０を電子機器収容室１２０の上面側に設けることによって、前面側電子機器収容室１２１および背面側電子機器収容室１２２にそれぞれ収容される電子機器２００の上面側に排出される空気をラック本体１１０の背面側へ導いている。これによって、電子機器２００がラック本体の前面側と背面側の双方に配置されても、前面側電子機器収容室１２１および背面側電子機器収容室１２２にそれぞれ収容される電子機器２００から排出される空気が、効率よくラック本体１１０の背面側へ導かれる。
【００６３】
よって、本発明の電子機器収容ラック１００によれば、電子機器２００がラック本体１１０の前面側と背面側の各々に配置しつつも、ラック本体１１０の外の空気を各電子機器２００に効率よく供給し、各電子機器２００へ供給された後に電子機器２００の熱を含んだ空気をラック本体１１０の背面側へ効率よく排出することができる。
【００６４】
また、導風ユニット１３０は、複数の電子機器収容室１２０のうちラック本体１１０の下面側から上面側に向かう方向で互いに向かい合う電子機器収容室１２０の間に設けられている。しかし、導風ユニット１３０によって、前面側電子機器収容室１２１および背面側電子機器収容室１２２にそれぞれ収容される電子機器２００の上面側に排出される空気がラック本体１１０の背面側へ導かれる。このため、下段の電子機器収容室１２０内に収容されている電子機器２００から排出される高熱の空気が、上段の電子機器収容室１２０内に収容されている電子機器２００に、流入することを抑止することができる。この結果、ラック本体１１０への実装が上段であるか下段であるかにかかわらず、各電子機器収容室１２０内の各電子機器２００を効率よく冷却することができる。
【００６５】
本発明の実施の形態における電子機器収容ラック１００において、導風ユニット１３０は、導風板１３１を有している。この導風板１３１は、ラック本体１１０の前面側から背面側に向かうにつれて、電子機器収容室１２０の上面から離れるように設けられている。
これにより、電子機器収容室１２０から排出される空気を、ラック本体１１０の背面側へ効率よく導くことができる。すなわち、ラック本体１１０の背面側の背面側電子機器収容室１２２から排出される空気をラック本体１１０の背面側へ効率よく導くことができることはもちろん、ラック本体１１０の前面側の前面側電子機器収容室１２１から排出される空気もラック本体１１０の背面側へ効率よく導くことができる。
【００６６】
本発明の実施の形態における電子機器収容ラック１００において、導風ユニット１３０は、ラック本体１１０に対して、着脱できるように設けられている。これにより、導風ユニット１３０が故障した際などに、導風ユニット１３０をラック本体１１０から容易に取り出すことができる。
【００６７】
本発明の実施の形態における電子機器収容ラック１００は、背面板（背面側開閉扉１１２）と、排気口１１４とを備えている。背面板は、ラック本体１１０の背面側に設けられている。排気口１１４は、導風ユニット１３０により導かれる空気をラック本体１１０の背面側から排出するために、背面板のうちで少なくとも導風ユニット１３０と向かい合う位置に形成されている。これにより、ラック本体１１０の背面側に背面板が設けられても、排気口１１４を介して、導風ユニット１３０により導かれる空気をラック本体１１０の背面側から排出することができる。
【００６８】
本発明の実施の形態における電子機器収容ラック１００は、前面板（前面側開閉扉１１１）と、第１の吸気口１１３とを備えている。前面板は、ラック本体１１０の前面側に設けられている。第１の吸気口１１３は、ラック本体１１０の外の空気を電子機器収容室１２０へ供給するために、前面板に形成されている。これにより、ラック本体１１０の前面側に前面板が設けられても、第１の吸気口１１３を介して、ラック本体１１０の外の空気を電子機器収容室１２０へ供給することができる。
【００６９】
本発明の実施の形態における電子機器収容ラック１００は、下面板１１５と、第２の吸気口１１６とを備えている。下面板１１５は、ラック本体１１０の下面側に設けられている。第２の吸気口１１６は、ラック本体１１０の外の空気を電子機器収容室１２０へ供給するために、前面板に形成されている。これにより、ラック本体１１０の下面側に下面板が設けられても、第２の吸気口１１６を介して、ラック本体１１０の外の空気を電子機器収容室１２０へ供給することができる。
【００７０】
以上、実施の形態をもとに本発明を説明した。実施の形態は例示であり、本発明の主旨から逸脱しない限り、上述各実施の形態に対して、さまざまな変更、増減、組合せを加えてもよい。これらの変更、増減、組合せが加えられた変形例も本発明の範囲にあることは当業者に理解されるところである。
【符号の説明】
【００７１】
１００    電子機器収容ラック
１１０    ラック本体
１１１    前面側開閉扉
１１２    背面側開閉扉
１１３    第１の吸気口
１１４    排気口
１１５    下面板
１１６    第２の吸気口
１１７    第１の通気口
１１８    第２の通気口
１２０    電子機器収容室
１２１    前面側電子機器収容室
１２２    背面側電子機器収容室
１３０    導風ユニット
１３１    導風板
１４０    吸気室
２００    電子機器
２１０    電子機器筐体
２１３    電子機器上面側開口孔
２１４    電子機器下面側開口孔
２１５    電子機器連通孔
２３０    ファン部
２４０    操作パネル
【図１】
2015008207.tif 000003
【図２】
2015008207.tif 000004
【図３】
2015008207.tif 000005
【図４】
2015008207.tif 000006
【図５】
2015008207.tif 000007
【図６】
2015008207.tif 000008